(57)【要約】【課題】  従来の携帯電話機と変わらない外観を保持するものでありながら、主電源となるバッテリーの蓋板をヒンジ部を介して展開可能として、この蓋板によって隠される部分に光発電パネルを設け、必要なときに蓋板を開けることによって光発電パネルが補助電源として有効に作動するようにするとともに、蓋板を閉じた通常の使用形態では従来の携帯電話機と変わらない外観を保持することのできるようにした。【解決手段】  本体１の背面に主電源となるバッテリー２を備えた携帯無線端末であって、前記バッテリー２をカバーする蓋板３がヒンジ部４を介して展開可能に設けられ、前記蓋板３によって隠された部分に光発電パネル５が設けられている構造。【選択図】図３
2006033662.tif 000002
【特許請求の範囲】
【請求項１】
本体(1)の背面に主電源となるバッテリー(2)を備えた携帯無線端末であって、前記バッテリー(2)をカバーする蓋板(3)がヒンジ部(4)を介して展開可能に設けられ、この蓋板(3)によって隠される部分に光発電パネル(5)が設けられている携帯無線端末。
【請求項２】
前記蓋板(3)の背面または蓋板(3)を開いたときに露出するバッテリー(2)の表面若しくはその両方の面に光発電パネル(5)が設けられている請求項１に記載の携帯無線端末。
【請求項３】
本体(1)の背面に主電源となるバッテリー(2)を備えた携帯無線端末であって、前記バッテリー(2)をカバーする蓋板(3')が本体(1)に取り付けられ、前記蓋板(3')がヒンジ部(4')を介して展開可能に折り畳まれた上下２枚の板材(3a)、(3b)で形成され、上部の板材(3a)の背面または下部の板材(3b)の表面若しくはその両方の面に光発電パネル(5)が設けられている携帯無線端末。
【発明の詳細な説明】
【技術分野】
【０００１】
本発明は、通信機能と文字や画像を表示するディスプレイを備えた小型の携帯無線端末に関するもので、主として携帯電話機に関するものである。
【背景技術】
【０００２】
一般に携帯電話機は、電話としての機能に加えてインターネットや各種情報の出力端末としての機能が追加され、それに伴って大容量の情報や動画の表示が可能な大型のディスプレイを装備するようになったため消費電力が多くなり、大容量のバッテリーが要求されるようになったが、付帯するバッテリーには限界がある、といった問題点があった。そこで従来では特許文献１並びに２に示すように、携帯電話機の本体表面の空いたスペースに太陽電池パネルを設けて消費電力を補填するものが提案されている。
【特許文献１】特開２００１−２９２２１４号公報
【特許文献２】特開２００２−３５９６７６号公報
【発明の開示】
【発明が解決しようとする課題】
【０００３】
しかし特許文献１に示された携帯電話機では、ディスプレイの周縁部分を囲むように狭い範囲に太陽電池パネルを設けたものであるから、発電量が非常に小さくて実用的効果が期待できない。これに対し、特許文献２で示された携帯電話機では、ディスプレイを除く電話機本体の全ての表面に太陽電池パネルを取り付けられているから大きな発電量を期待することができるが、強度並びに製作の面で問題があり、殊に太陽電池パネルが常時表面に露見しているので損傷を受けやすく、且つファッション性を重視する携帯電話機にとってその外観が見劣りし、商品価値を損なうといった大きな欠点があった。
【０００４】
そこで本発明は、主電源となるバッテリーをカバーする蓋板をヒンジ部を介して展開可能として、この蓋板によって隠される部分に光発電パネルを設け、必要なときに蓋板を開けることによって光発電パネルが補助電源として有効に作動するようにして長時間の使用にも耐えることができるようにするとともに、蓋板を閉じた通常の使用形態では従来の携帯電話機と変わらない外観を保持することのできる携帯無線端末を提供することを主たる目的とするものである。
【課題を解決するための手段】
【０００５】
上記目的を達成する為に本発明では次のような技術的手段を講じた。即ち、本発明に係る携帯無線端末にあっては、本体１の背面に主電源となるバッテリー２を備えた携帯無線端末であって、前記バッテリー２をカバーする蓋板３がヒンジ部４を介して展開可能に設けられ、前記蓋板３によって隠される部分に光発電パネル５が設けられている構造とした。ここにいう光発電パネルとは、太陽電池のように光によって発電する電池全般を意味する。
【０００６】
前記光発電パネル５は蓋板３の背面と、蓋板３を開いたときに露出するバッテリー２の表面の両方の面に設けるのがこのましい。また蓋板３の展開方向は、図１〜図３に示すように本体１の左右方向、若しくは図４に示すように本体１の上下方向の何れの方向であってもよい。
【０００７】
また本発明では、本体１の背面に主電源となるバッテリー２を備えた携帯無線端末であって、前記バッテリー２をカバーする蓋板３’が本体１に取り付けられ、前記蓋板３’がヒンジ部４’を介して展開可能に折り畳まれた上下２枚の板材３ａ、３ｂで形成され、上部の板材３ａの背面または下部の板材３ｂの表面若しくはその両方の面に光発電パネル５が設けられている構造も特徴とする。
【０００８】
この実施例でも、前記光発電パネル５を上部の板材３ａの背面と下部の板材３ｂの表面の両方の面に設けるのがこのましい。また上部の板材３ａの展開方向は、左右、上下の何れの方向であってもよい。
【０００９】
上記本体１は、図１〜図３に示すようにディスプレイ２を備えた表示部１ａと操作ボタン３を備えた操作部１ｂとがヒンジ１ｃを介して折り畳みできるように連結された形式のものと、図示は省略するが表示部１ａと操作部１ｂとが一体的に形成されたものとがあり、何れであってもよい。
【発明の効果】
【００１０】
本発明では、主電源となるバッテリーをカバーする蓋板をヒンジ部を介して展開可能として、この蓋板によって隠される部分、即ち蓋板の背面またはバッテリーの表面の少なくとも一方の面に光発電パネルを設けて必要なときに蓋板を開けることによって光発電パネルが補助電源として有効に作動するようにしたから、蓋板を閉じた通常の使用形態では従来の携帯電話機と変わらない外観を保持するものでありながら光発電パネルの大きな設置スペースを確保することができ、必要なときに光発電パネルによって補助電源としての充分な発電量を得ることができ、これにより長時間の使用にも耐えることのできると共にバッテリー切れ等の緊急時にも通信することができる、といった大きな効果がある。
【００１１】
また請求項３の構成とすることにより、従来の携帯電話機の本体の形状や規格を殆ど代えないでバッテリーの蓋板を交換するだけで光発電パネルを内蔵した携帯電話機を簡単に組み込むことができるといった効果がある。
【実施例】
【００１２】
以下、本発明を携帯電話機に実施した場合の例に基ずき説明する。図１〜図３は本発明の第１実施例を示すもので、符号１は携帯電話機の本体を示す。該本体１はディスプレイ６を備えた表示部１ａと操作ボタン７を備えた操作部１ｂとに分割されていて、ヒンジ１ｃにより表示部１ａと操作部１ｂとが向かい合う姿勢に折り畳みできるように連結されている。この電話機本体１にはディスプレイ６や操作ボタン７の他に、マイク８、スピーカー９が設けられ、本体１の操作部１ｂの背面に主電源となるバッテリー２が着脱可能に組み込まれている。
【００１３】
前記バッテリー２にはその表面をカバーする蓋板３がヒンジ部４を介して左右に展開可能に設けられている。そしてこの蓋板３の背面と、蓋板３を開いたときに露出するバッテリー２の表面の両方に光発電パネル５が設けられている。また蓋板３には開けるときに指先を引っかけるための手掛かり３ｃが設けられている。
【００１４】
従って、必要なときに蓋板３を開けることによって光発電パネル５が補助電源として動作し、しかも蓋板３の背面とバッテリー２の表面の両方にわたって広い面積で光発電パネル５が敷設されているので充分且つ大きな発電量を得ることができる。また蓋板３を閉じた通常の使用形態では従来の携帯電話機と変わらない外観を保持することができるものである。
【００１５】
上記実施例では、蓋板３をバッテリー２に連結した例を示したが、蓋板３を直接本体１にヒンジ部を介して取り付けて構成することも可能である。
【００１６】
また、本発明では図４に示すように、蓋板３をヒンジ部４を介して本体１の上下方向に展開するように形成してもよい。
【００１７】
また上記実施例では、蓋板３の背面とバッテリー２の表面の両方に光発電パネル５を設けた実施例を示したが、蓋板３の背面バッテリー２の表面の何れか一方に光発電パネル５を取り付けるようにしてもよい。
【００１８】
図５〜図８は本発明の別の実施例を示すものであって、この実施例ではバッテリー２をカバーする蓋板３’がヒンジ部４’を介して展開可能に折り畳まれた上下２枚の板材３ａ、３ｂによって形成され、蓋板３’の下部板材３ｂが本体１に対して着脱自在に取り付けられている。本実施例にあっては下部板材３ｂの側面に設けた嵌合突起３ｄが本体１側に設けた嵌合凹部３ｅに係合することによって蓋体３’が本体１に着脱自在に取り付けられているが、この着脱自在な取付け手段はどのような構造であってもよい。例えばビスで本体１に取り付けるようにしてもよい。更に、手がかり３ｃに指先をかけて前記上部板材３ａをヒンジ部４’を介して展開したときに露出する各板材の面、即ち、上部板材３ａの背面並びに下部板材３ｂの表面に光発電パネル５が設けられている。従って、本実施例にあっても必要なときに蓋板３を開けることによって光発電パネル５が補助電源として動作し、しかも蓋板３が展開可能な２枚の板材３ａ、３ｂで形成されて、上部板材３ａの背面と下部板材３ｂの表面の両方にわたって広い面積で光発電パネル５が敷設されているので、充分且つ大きな発電量を得ることができる。また上部板材３ａを閉じた通常の使用形態では従来の携帯電話機と変わらない外観を保持することができるものである。また本実施例では従来からあるバッテリーの蓋体に変更を加えた構造であるから、従来の携帯電話機の本体の形状や規格を殆ど代えないでバッテリーの蓋板を交換するだけで光発電パネルを内蔵した携帯電話機を簡単に組み込むことができるものである。
【００１９】
また本実施例にあっても図４と同じように、蓋板３の上部板材３ａを本体１の上下方向に展開するように形成することが可能である。
【００２０】
以上本発明の代表的と思われる実施例について説明したが、本発明は必ずしもこれらの実施例構造のみに限定されるものではなく、その構成要件を備え、かつ本発明の目的を達成し、本発明の効果を奏する範囲内において適宜改変して実施できるものである。
【図面の簡単な説明】
【００２１】
【図１】本発明に係る携帯無線端末の第１実施例を示す斜視図であって本体を展開させた状態を示す。
【図２】上記携帯無線端末の本体を折り畳んだ状態を示す裏面から見た斜視図。
【図３】図２の状態から、蓋板を開いた状態を示す斜視図。
【図４】本発明に係る携帯無線端末の他の実施例を示す図２同様の斜視図。
【図５】本発明に係る携帯無線端末の更に別の他の実施例を示す図２同様の斜視図であって、蓋体を取り外した状態を示す。
【図６】図５で示した携帯無線端末の本体に蓋体を取り付けた状態を示す裏面から見た斜視図。
【図７】図６の状態から、蓋板を開いた状態を示す斜視図。
【符号の説明】
【００２２】
１  本体
２  バッテリー
３  蓋板
３’  蓋板
４  ヒンジ部
４’  ヒンジ部
５  光発電パネル
【図１】
2006033662.tif 000003
【図２】
2006033662.tif 000004
【図３】
2006033662.tif 000005
【図４】
2006033662.tif 000006
【図５】
2006033662.tif 000007
【図６】
2006033662.tif 000008
【図７】
2006033662.tif 000009